(57)【要約】【課題】軽負荷時であっても、ＩＣＴ装置の電源ユニットの高い効率化を実現する電源制御システムを提供する。【解決手段】ＩＣＴ装置の負荷に電力を供給する電源および蓄電池を制御する電源制御システムであって、所定の時間内に前記ＩＣＴ装置にアクセスがない場合、前記ＩＣＴ装置をスリープモードに突入させ、第１の信号を生成する実行部と、前記第１の信号に基づいて、前記蓄電池から電力を前記負荷へ供給することを決定し、第２の信号を生成する第１の制御部と、前記第２の信号に基づいて、前記電源の稼動を停止する信号を生成する第２の制御部とを備えた。【選択図】図４
2015050913.tif 000002
【特許請求の範囲】
【請求項１】
ＩＣＴ装置の負荷に電力を供給する電源および蓄電池を制御する電源制御システムであって、
所定の時間内に前記ＩＣＴ装置にアクセスがない場合、前記ＩＣＴ装置をスリープモードに突入させ、第１の信号を生成する実行部と、
前記第１の信号に基づいて、前記蓄電池から電力を前記負荷へ供給することを決定し、第２の信号を生成する第１の制御部と、
前記第２の信号に基づいて、前記電源の稼動を停止する信号を生成する第２の制御部と
を備えたことを特徴とする電源制御システム。
【請求項２】
ＩＣＴ装置の負荷に電力を供給する電源および蓄電池を制御する電源制御システムであって、前記電源は、交流電力を直流電力に変換して前記電源に供給する直流電源と接続され、
所定の時間内に前記ＩＣＴ装置にアクセスがない場合、前記ＩＣＴ装置をスリープモードに突入させ、第１の信号を生成する実行部と、
前記第１の信号に基づいて、前記蓄電池から電力を前記負荷へ供給することを決定し、第２の信号を生成する第１の制御部と、
前記第２の信号に基づいて、前記電源の稼動を停止する信号を生成する第２の制御部と、
前記負荷の消費電力に基づいて、前記直流電源の稼動する台数を決定する第３の制御部と
を備えたことを特徴とする電源制御システム。
【発明の詳細な説明】
【技術分野】
【０００１】
本発明は、電源制御システムに関し、より詳細には、ＩＣＴ装置に補助的に電力を供給する電源制御システムに関する。
【背景技術】
【０００２】
近年、ＩＣＴ（Information and Communication Technology：情報通信技術）設備に設置されたＩＣＴ装置の負荷の消費電力を供給する電源装置の省電化が要求されている。本明細書では、ＩＣＴ設備は、データセンタ、通信機械室、サーバ室などをいい、ＩＣＴ装置は、サーバ、ストレージ、ルータなどをいう。またＩＣＴ装置の負荷とは、ネットワークボード、マザーボードなどをいう。電源装置は、ＩＣＴ装置の負荷に直接給電している負荷電源ユニット、負荷電源ユニットに給電している電源装置ユニットをいう。
【０００３】
通常、ＩＣＴ装置の負荷電源ユニットには、電源装置ユニットを含む直流給電システムによって交流電力から変換された直流電力が供給される。ＩＣＴ装置の負荷電源ユニットに供給された直流電力は、ＩＣＴ装置の負荷で消費される。ＩＣＴ装置の負荷の消費電力は、ＩＣＴ装置の状態によって変動し、ＩＣＴ装置に電力を供給する電源装置の効率も変化する。そこで、ＩＣＴ装置の負荷が消費する電力の変動にあわせて、高効率にＩＣＴ装置へ給電する直流給電システムが検討されている。
【０００４】
本明細書では、電源装置の効率とは、電源装置から出力される電力値から、電源装置に入力される電力値を除算して得た値をいう。また電源装置に流れる電流値から、電源装置の定格電流を除算して得た値を負荷率という。一般に負荷率５０％付近が、最も効率が高く、ＩＣＴ装置に電力を供給している電源装置の最適な動作点であるといえる。逆に負荷率５０％付近から離れると、電源装置の効率が低くなる。整流装置、ＵＰＳ（Uninterruptible Power Supply：無停電電源装置）を含む電源装置の効率は、ＩＣＴ装置の負荷が消費する電力によって異なり、最も効率の高い最適な動作点が存在する。したがって、電源装置の最適な動作点を考慮した直流給電が求められる。
【０００５】
図１に、電源装置の負荷率と電源装置の効率との関係を示す。図１では、最適な動作点（Ａ）となる負荷率に、負荷率が近づけば効率が高くなり、また最適な動作点となる負荷率から、負荷率が遠くなれば、効率が低くなるとなることがわかる。
【０００６】
故に、ＩＣＴ装置の負荷の消費電力の変動によって、電源装置の負荷率も変化して電源装置の効率が低下するほか、ＩＣＴ装置の負荷の消費電力の変動に合わせて、電源装置の制御回路を稼動することによって駆動損失が発生する。
【０００７】
ＩＣＴ装置の電源装置ユニットの効率低下を防止したり、ＩＣＴ装置の電源装置ユニットの駆動損失を抑制したりしようとした技術は、例えば、特許文献１および特許文献２に記載されている。特許文献１には、電源装置ユニットの個々の定格電流と、電源装置ユニットから出力される総電流とを比較し、比較結果に基づいて電源装置ユニットの運転台数を制御する技術が開示されている。特許文献２には、整流装置がＩＣＴ装置に給電する複数の電源装置ユニットで構成され、各電源装置ユニットの出力電流値から各電源装置ユニットの効率を算出し、整流装置の効率が最適となるように電源装置ユニットの稼動台数を決定する技術が開示されている。
【０００８】
図２に従来の電源システムの構成を表すブロック図を示す。従来の電源システム１は、入力される交流電力を直流電力に変換する整流回路と、停電時に給電を遮断させないため設置されるＵＰＳとを含んだ電源装置ユニット２ｉ（ｉ＝１〜ｎ：ｎは任意の正の整数）を備える。また従来の電源システム１は、電源装置ユニット２ｉを起動・停止制御する電源制御装置３と、ＩＣＴ装置に電力を供給する負荷電源ユニット４ｊ（ｊ＝１〜ｍ：ｍは任意の正の整数）とを備える。電源装置ユニット２ｉは、電源装置ユニット２１，電源装置ユニット２２，…電源装置ユニット２ｎを含む。また負荷電源ユニット４ｊは、負荷電源ユニット４１，負荷電源ユニット４２，…負荷電源ユニット４ｍを含む。
【０００９】
図２に示すシステムは、幾つかのＩＣＴ装置の負荷の消費電力が数%〜数10％程度に抑えられた際に、各電源装置ユニット２ｉが、負荷の消費電力に応じて適宜稼動停止となる。よって、軽負荷時に電源装置ユニット２ｉを何台も使用するという非効率化の防止を図っている。また無駄な電源装置ユニット２ｉを稼動しないことで、電源装置ユニット２ｉの稼動により生じる駆動損失の減少を試みている。
【先行技術文献】
【特許文献】
【００１０】
【特許文献１】特開２００９−１９５０７９号公報
【特許文献２】特開２００８−２０１０９０号公報
【発明の概要】
【発明が解決しようとする課題】
【００１１】
一方、ＩＣＴ装置がスリープモードの場合でも、常に待機電力が発生する。なぜなら、ＩＣＴ装置を再び起動するためには、ネットワークボードへの給電、ＩＣＴ装置の負荷電源ユニットの制御を行うためのマザーボードへの給電が必要となるからである。特許文献１および特許文献２に記載された従来技術では、ＩＣＴ装置の負荷電源ユニットを停止して待機電力を供給することは難しく、直流給電システムの電源装置ユニットから入力された電力によって待機電力が供給されていた。
【００１２】
例えば、ＩＣＴ装置の負荷電源ユニットに電力を供給する電源システムが、100kWクラスの大型電源システムであって、電源装置ユニット５台〜１０台で構成されている場合、各電源装置ユニット１台当たりの定格出力も10ｋＷ〜20ｋＷクラスとなる。よって、電源装置ユニット１台の起動または停止によって制御する電力の差が大きい。
【００１３】
故に、例えば数台のサーバなどの負荷がスリープモードで動作するのに必要な数100W程度の電源容量が不足している場合でも、電源容量が足らなければ10〜20kWクラスの電源装置ユニットを稼働させる必要がある。電源装置ユニットを稼働させる際、ＩＣＴ装置の負荷の変動によって各負荷電源ユニットの動作点が変化して効率が低下するという問題があった。またスリープモードにおける負荷のためだけに駆動する負荷電源ユニットの制御回路の駆動損失が発生するという問題があった。
【００１４】
図３に電源装置ユニットおよびＩＣＴ装置の負荷電源ユニットの稼働台数と電力容量の関係を示す。図３に示すグラフについては、下の横軸を、負荷電源ユニットの稼働台数とし、上の横軸を、電源装置ユニットの稼働台数とし、縦軸を、電力容量（ｋＷ）の大きさとしている。図３に示すグラフ内の実線は、電源装置ユニットが稼動する台数ごとの電力容量の合計（Ｂ）を示し、図３に示すグラフ内の破線は、負荷電源ユニットが稼動する台数ごとの電力容量の合計（Ｃ）を示す。
【００１５】
例えば、定格出力1kW／台のＩＣＴ装置の負荷電源ユニットが５台稼動すると、定格出力5kW／台の電源装置ユニット１台では、ＩＣＴ装置の負荷電源ユニットの電力容量に余裕がないため、電源装置ユニットをもう１台起動することになる。しかし、ＩＣＴ装置がスリープモードに突入し、軽負荷になったとしても、ＩＣＴ装置の負荷電源ユニットから電力を供給し続ければならない。よって、ＩＣＴ装置が軽負荷時であっても、ＩＣＴ装置の負荷電源ユニットの制御回路の駆動損失が発生する問題があった。
【００１６】
本発明は、このような問題に鑑みてなされたもので、その目的とするところは、軽負荷時であっても、ＩＣＴ装置の負荷電源ユニットの高い効率化を実現する電源制御システムを提供することにある。
【課題を解決するための手段】
【００１７】
上記の課題を解決するために、本発明では、スリープモードとなったＩＣＴ装置の負荷への給電を、ＩＣＴ装置の内部電源バスに接続された蓄電池によって給電し、ＩＣＴ装置の負荷電源ユニットへ接続されたスイッチを完全にＯＦＦとする。
【００１８】
本発明は、このような目的を達成するために、請求項１に記載の発明は、ＩＣＴ装置の負荷に電力を供給する電源および蓄電池を制御する電源制御システムであって、所定の時間内に前記ＩＣＴ装置にアクセスがない場合、前記ＩＣＴ装置をスリープモードに突入させ、第１の信号を生成する実行部と、前記第１の信号に基づいて、前記蓄電池から電力を前記負荷へ供給することを決定し、第２の信号を生成する第１の制御部と、前記第２の信号に基づいて、前記電源の稼動を停止する信号を生成する第２の制御部とを備えたことを特徴とする。
【発明の効果】
【００１９】
以上説明したように、本発明によれば、ＩＣＴ装置の負荷の待機電力を蓄電池だけで供給するため、高効率に負荷電源ユニットを稼働することが可能となる。また本発明によれば、ＩＣＴ装置の負荷電源ユニットのスリープモード時の待機電力に基づくＩＣＴ装置の負荷電源ユニットの駆動損失を削減することが可能となる。
【図面の簡単な説明】
【００２０】
【図１】電源装置の負荷率と電源装置の効率との関係を示す図である。
【図２】従来の電源システムの構成を表すブロック図である。
【図３】電源装置ユニットおよびＩＣＴ装置の負荷電源ユニットの稼働台数と電力容量の関係を示す図である。
【図４】本発明の第１の実施形態にかかる電源制御システムを用いた電源システムの構成を表すブロック図である。
【図５】本発明の第１の実施形態にかかる電源制御方法を示すフローチャートである。
【図６】本発明の第２の実施形態にかかる電源制御システムを用いた電源システムの構成を表すブロック図である。
【図７】本発明の第２の実施形態にかかる電源制御方法を示すフローチャートである。
【発明を実施するための形態】
【００２１】
以下、図面を参照しながら本発明の実施形態について詳細に説明する。
【００２２】
（第１の実施形態）  
図４に本発明の第１の実施形態にかかる電源制御システムの構成を表すブロック図を示す。ＩＣＴ装置６は、外部電源１０００からの直流電力が入力される負荷電源ユニット６１と、負荷電源ユニット６１から出力された電力を負荷に供給するための内部電源バス６２と、外部からの信号を受信するネットワークボード６３と備える。
【００２３】
本発明の第１の実施形態にかかる電源制御システム７は、ＩＣＴ装置６に直流電力を供給するコンセント７１と、ＩＣＴ装置６の負荷電源ユニット６１の制御を行うためのマザーボード（実行部）６４とを備える。ＩＣＴ装置６のネットワークボード６３およびマザーボード６４は、ＩＣＴ装置６の負荷である。
【００２４】
また本発明の第１の実施形態にかかる電源制御システム７は、蓄電池７２と、所定の信号に基づいて蓄電池７２からの電力をＩＣＴ装置のネットワークボード６３およびマザーボード６４に電力を供給する充放電制御装置（第１の制御部）７３とを備える。さらに本発明の第１の実施形態にかかる電源制御システム７は、ＩＣＴ装置６がスリープモードとなった場合にＩＣＴ装置６に電力を供給するコンセント７１をＯＮ・ＯＦＦする負荷状態制御装置（第２の制御部）７４を備える。
【００２５】
コンセント７１は、負荷電源ユニット６１に供給する電力をＯＮ・ＯＦＦする第１のスイッチＳＷ１および第２のスイッチＳＷ２を備える。またコンセント７１は、負荷状態制御装置７４からの信号に基づいて第１のスイッチＳＷ１および第２のスイッチＳＷ２をＯＮ・ＯＦＦ制御するＯＮ・ＯＦＦ制御装置７１１を備える。図４では、第２のスイッチＳＷ２にＩＣＴ装置６が接続されている。ＯＮ・ＯＦＦ制御装置７１１は、ＩＣＴ装置６に供給される電流を監視している。
【００２６】
マザーボード６４は、ＩＣＴ装置６へのアクセスを監視して、所定の時間内にＩＣＴ装置６にアクセスがない場合、ＩＣＴ装置６をスリープモードに突入させる。マザーボード６４は、ＩＣＴ装置６がスリープモードに突入した場合、スリープモード突入情報（第１の信号）を生成し、充放電制御装置７３に送信する。
【００２７】
充放電制御装置７３は、内部スイッチおよび制御回路から構成され、負荷電源ユニット６１と負荷との間の内部電源バス６２に接続されている。制御回路は、マザーボード６４によるスリープモード突入情報を受信し、蓄電池７２の残量の確認を行い、内部スイッチをＯＮする。内部スイッチは、ＯＮすると、蓄電池７２に予め蓄えられた電力をＩＣＴ装置６の負荷に供給するように構成される。また充放電制御装置７３は、蓄電池電力供給決定情報（第２の信号）およびＩＣＴ装置６のスリープモード突入情報を負荷状態制御装置７４に送信する。
【００２８】
負荷状態制御装置７４は、充放電制御装置７３からの蓄電池電力供給決定情報およびスリープモード突入情報に基づいて、第２のスイッチＳＷ２をＯＦＦ制御する信号を生成する。
【００２９】
図４は、ＩＣＴ装置６がスリープモードに突入した場合のブロック図を示す。充放電制御装置７３は、マザーボード６４からのスリープモード突入情報を受信して、ＩＣＴ装置６の負荷に蓄電池７２の電力が供給されるように内部スイッチをＯＮする。充放電制御装置７３は、蓄電池電力供給決定情報を負荷状態制御装置７４へ送信する。負荷状態制御装置７４は、蓄電池電力供給決定情報を受信すると、第２のスイッチＳＷ２をＯＦＦにさせるＯＦＦ制御信号をＯＮ・ＯＦＦ制御装置７１１に送信する。ＯＮ・ＯＦＦ制御装置７１１は、ＯＦＦ制御信号を受信すると、第２のスイッチＳＷ２をＯＦＦにする。
【００３０】
図５に本発明の第１の実施形態にかかる電源制御方法のフローチャートを示す。マザーボード６４は、ＩＣＴ装置６へのアクセスを監視して、所定の時間内にＩＣＴ装置６にアクセスがない場合、ＩＣＴ装置６をスリープモードに突入させる（Ｓ１０１）。
【００３１】
ＩＣＴ装置６がスリープモードに突入した場合、マザーボード６４は、ＩＣＴ装置６のスリープモード突入情報を充放電制御装置７３に送信する（Ｓ１０２）。
【００３２】
充放電制御装置７３は、マザーボード６４からのＩＣＴ装置６のスリープモード突入情報を受信する。充放電制御装置７３は、スリープモード突入情報を受信すると、蓄電池７２の残量を確認する。また、充放電制御装置７３は、蓄電池７２の残量を確認して一定の残量が存在すれば、蓄電池７２に予め蓄えられた電力をＩＣＴ装置６の負荷へ供給することを決定し、蓄電池７２から内部電源バス６２への内部スイッチをＯＮする（Ｓ１０３）。
【００３３】
充放電制御装置７３は、蓄電池７２から電力をＩＣＴ装置６の負荷へ供給することを決定した場合、蓄電池７２から電力をＩＣＴ装置６の負荷へ供給することを決定した情報を含む蓄電池電力供給決定情報を負荷状態制御装置７４に送信する（Ｓ１０４）。
【００３４】
負荷状態制御装置７４は、蓄電池電力供給決定情報に基づいて、負荷電源ユニット６１の稼動を停止するため、コンセント７１の第２のスイッチＳＷ２をＯＦＦするＯＦＦ制御信号を生成する（Ｓ１０５）。
【００３５】
負荷状態制御装置７４は、生成したＯＦＦ制御信号をＯＮ・ＯＦＦ制御装置７１１へ送信する（Ｓ１０６）。
【００３６】
ＯＮ・ＯＦＦ制御装置７１１は、ＯＦＦ制御信号を受信し、負荷電源ユニット６１への電流を検出し、検出した電流が閾値を下回ったことを確認した場合、第２のスイッチＳＷ２をＯＦＦして負荷電源ユニット６１の稼動を停止させる（Ｓ１０７）。負荷電源ユニット６１の稼動が停止すると、負荷電源ユニット６１からＩＣＴ装置６への給電は遮断される。
【００３７】
ステップＳ１０１からステップＳ１０７により、負荷電源ユニット６１への給電が遮断され、ＩＣＴ装置６がスリープモードに突入しても蓄電池７２から待機電力が供給されるため、負荷電源ユニット６１は、待機電力を供給しなくても良くなる。
【００３８】
図３を用いて、ＩＣＴ装置の負荷電源ユニット（１ｋｗ／台）が５台稼動するのに必要となる電源装置ユニット（５ｋｗ／台）が２台稼動している場合の電源制御について説明する。例えば、１台のＩＣＴ装置がスリープモードに突入した場合、従来技術では、ＩＣＴ装置の少量の待機電力を賄うためだけに、電源装置ユニット１台の稼動が必要であった。しかし本実施形態では、ＩＣＴ装置の負荷電源ユニットを停止させ、代わりに蓄電池によってＩＣＴ装置の待機電力が賄われる。よって、稼動するＩＣＴ装置の負荷電源ユニットの台数が５台から４台に減少し、電源装置ユニットも２台から１台に減少するため、電源装置ユニット１台分の電力の削減が可能となる。
【００３９】
なお、蓄電池７２の残量情報は、充放電制御装置７３において定期的に監視され、蓄電池７２の残量が閾値を下回った場合、充放電制御装置７３は、第２のスイッチＳＷ２をＯＮする信号を、負荷状態制御装置７４を介してＯＮ・ＯＦＦ制御装置７１１に送信してもよい。
【００４０】
また、ＩＣＴ装置６へのアクセスを負荷状態制御装置７４が監視して、ＩＣＴ装置６に一定時間アクセスがなかった場合、図４に示すように、負荷状態制御装置７４がＩＣＴ装置６のネットワークボード６３に、ＩＣＴ装置６がスリープモードに突入する信号を送信してもよい。さらに、ＩＣＴ装置６がスリープモード６３に突入した場合に、負荷状態制御装置７４は、マザーボード６４からスリープモード突入情報を受信し、充放電制御装置７３に内部スイッチをＯＮする信号を送信してもよい。
【００４１】
本実施形態によれば、ＩＣＴ装置の負荷の待機電力を蓄電池だけで供給するため、高効率に負荷電源ユニットを稼働することが可能となる。また本実施形態によれば、ＩＣＴ装置の負荷電源ユニットのスリープモード時の待機電力に基づくＩＣＴ装置の負荷電源ユニットの駆動損失を削減することが可能となる。
【００４２】
別の実施形態では、マザーボード６４は、ＩＣＴ装置６へのアクセスを監視して、第１の所与の時間内にＩＣＴ装置６にアクセスがない場合、ＩＣＴ装置６を休止状態に突入させる。また第２の所与の時間内にＩＣＴ装置６にアクセスがない場合、ＩＣＴ装置６をシャットダウンさせる。ＩＣＴ装置６が休止状態に突入した場合、マザーボード６４から充放電制御装置７３へ休止状態突入情報を送信し、またはＩＣＴ装置６がシャットダウンした場合、マザーボード６４から充放電制御装置７３へシャットダウン実行情報を送信する。充放電制御装置７３は、マザーボード６４からの休止状態突入情報またはシャットダウン実行情報を受信して、ＩＣＴ装置６の負荷に蓄電池７２の電力が供給されるように内部スイッチをＯＮする。以下、第１の実施形態と同様に、充放電制御装置７３は、蓄電池電力供給決定情報を負荷状態制御装置７４へ送信する。負荷状態制御装置７４は、蓄電池電力供給決定情報を受信すると、第２のスイッチＳＷ２をＯＦＦにさせるＯＦＦ制御信号をＯＮ・ＯＦＦ制御装置７１１に送信する。ＯＮ・ＯＦＦ制御装置７１１は、ＯＦＦ制御信号を受信すると、第２のスイッチＳＷ２をＯＦＦにする。
【００４３】
以上、ＩＣＴ装置６がスリープモードに突入する場合を述べてきたが、次にＩＣＴ装置６のスリープモードが解除する場合の電源制御について説明する。マザーボード６４は、ＩＣＴ装置がスリープモードであって、ＩＣＴ装置６にアクセスがあった場合、ＩＣＴ装置６のスリープモードを解除する。マザーボード６４は、ＩＣＴ装置６のスリープモードが解除した場合、スリープモード解除情報を生成し、負荷状態制御装置７４に送信する。
【００４４】
負荷状態制御装置７４は、スリープモード解除情報を受信した場合、ＯＮ・ＯＦＦ制御装置７１１に対して第２のスイッチＳＷ２をＯＮするＯＮ制御信号を送信する。ＯＮ・ＯＦＦ制御装置７１１は、ＯＮ制御信号に基づいて、第２のスイッチＳＷ２をＯＮする。ＯＮ・ＯＦＦ制御装置７１１は、第２のスイッチＳＷ２をＯＮした情報を含む第２のスイッチＯＮ情報を、負荷状態制御装置７４を介して充放電制御装置７３に送信する。充放電制御装置７３は、第２のスイッチＯＮ情報を受信した場合、内部スイッチをＯＦＦして蓄電池７２からの電力供給を遮断する。よって、ＩＣＴ装置６のスリープモードが解除された場合、電源装置ユニットからの直流電力の供給を再び開始し、蓄電池７２からの電力供給を遮断することが可能となる。したがって、ＩＣＴ装置６のスリープモードの突入および解除がＩＣＴ装置６の稼働の間にあったとしても、ＩＣＴ装置６の負荷への電力供給がストップされることなく、ＩＣＴ装置６の負荷電源ユニットの効率化を図ることが可能となる。
【００４５】
（第２の実施形態）  
図６に本発明の第２の実施形態にかかる電源制御システムの構成を表すブロック図を示す。電源装置ユニット（直流電源）１０ｉ（ｉ＝１〜ｎ：ｎは任意の正の整数）は、交流電源２０００から入力された交流電力を直流電力に変換し、変換した直流電力をＩＣＴ装置９ｊ（ｊ＝１〜ｍ：ｍは任意の正の整数）に供給する。ＩＣＴ装置９ｊは、電源装置ユニット１０ｉからの直流電力が入力される負荷電源ユニット９１ｊと、負荷９２ｊと、負荷電源ユニット９１ｊから出力された電力を負荷９２ｊに供給するための内部電源バス９３ｊとを備える。負荷９２ｊは、外部からの信号を受信するネットワークボード９２２ｊを備える。
【００４６】
本発明の第２の実施形態にかかる電源制御システム１１は、ＩＣＴ装置９ｊに直流電力を供給するコンセント１１１と、ＩＣＴ装置９ｊの負荷電源ユニット９１ｊの制御を行うためのマザーボード９２１ｊとを備える。ＩＣＴ装置９ｊのネットワークボード９２２ｊおよびマザーボード９２１ｊは、ＩＣＴ装置９ｊの負荷である。
【００４７】
また本発明の第２の実施形態にかかる電源制御システム１１は、蓄電池１１２と、所定の信号に基づいて、蓄電池１１２からの電力をＩＣＴ装置９ｊのネットワークボード９２２ｊおよびマザーボード９２１ｊに電力を供給する蓄電池充放電制御装置１１３とを備える。さらに本発明の第２の実施形態にかかる電源制御システム１１は、ＩＣＴ装置９ｊをスリープモードにし、ＩＣＴ装置９ｊがスリープモードとなった場合にＩＣＴ装置９ｊに電力を供給するコンセント１１１をＯＮ・ＯＦＦする負荷状態制御装置１１４を備える。また本発明の第２の実施形態にかかる電源制御システム１１は、電源装置ユニット１０ｉを起動・停止制御信号によって制御する電源制御装置（第３の制御部）１１５を備える。
【００４８】
コンセント１１１は、負荷電源ユニット９１ｊに供給する電力をＯＮ・ＯＦＦする第ｊのスイッチＳＷｊを備える。またコンセント１１１は、負荷状態制御装置１１４からの信号に基づいて第ｊのスイッチＳＷｊをＯＮ・ＯＦＦ制御するＯＮ・ＯＦＦ制御装置１１１１を備える。ＯＮ・ＯＦＦ制御装置１１１１は、ＩＣＴ装置９ｊに供給される電流を監視している。
【００４９】
マザーボード９２１ｊは、ＩＣＴ装置９ｊへのアクセスを監視して、所定の時間内にＩＣＴ装置９ｊにアクセスがない場合、ＩＣＴ装置９ｊをスリープモードに突入させる。マザーボード９２１ｊは、ＩＣＴ装置９ｊがスリープモードに突入した場合、スリープモード突入情報を生成し、充放電制御装置１１３に送信する。
【００５０】
充放電制御装置１１３は、内部スイッチおよび制御回路から構成され、負荷電源ユニット９１ｊと負荷９２ｊとの間の内部電源バス９３ｊに接続されている。制御回路は、マザーボード９２１ｊによるスリープモード突入情報を受信し、蓄電池１１２の残量の確認を行い、内部スイッチをＯＮする。内部スイッチは、ＯＮすると、蓄電池１１２に予め蓄えられた電力をＩＣＴ装置９ｊの負荷９２ｊに供給するように構成される。また充放電制御装置１１３は、蓄電池電力供給決定情報およびＩＣＴ装置６のスリープモード突入情報を負荷状態制御装置１１４に送信する。
【００５１】
負荷状態制御装置１１４は、充放電制御装置１１３からの蓄電池電力供給決定情報およびスリープモード突入情報に基づいて、第ｊのスイッチＳＷｊをＯＦＦ制御する信号を生成する。
【００５２】
また負荷状態制御装置１１４は、負荷９２ｊの電力容量に基づいて電源制御装置１１５に負荷電力容量情報を送信する。電源制御装置１１５は、負荷電力容量情報、および電源装置ユニット１０ｉからの出力電流に基づいて、電源装置ユニット１０ｉをＯＮ・ＯＦＦ制御する。
【００５３】
図６は、ＩＣＴ装置９１だけがスリープモードに突入した場合のブロック図を示す。充放電制御装置１１３は、マザーボード９２１１からのスリープモード突入情報を受信して、ＩＣＴ装置９１の負荷９２１に蓄電池１１２の電力が供給されるように内部スイッチをＯＮする。充放電制御装置１１３は、蓄電池電力供給決定情報を負荷状態制御装置１１４へ送信する。負荷状態制御装置１１４は、蓄電池電力供給決定情報を受信すると、第１のスイッチＳＷ１をＯＦＦにさせるＯＦＦ制御信号をＯＮ・ＯＦＦ制御装置１１１１に送信する。ＯＮ・ＯＦＦ制御装置１１１１は、ＯＦＦ制御信号を受信すると、第１のスイッチＳＷ１をＯＦＦにする。加えて、電源制御装置１１５は、負荷９２ｊの電力容量に基づいて電源装置ユニット１０ｉをＯＮ・ＯＦＦ制御する。
【００５４】
したがって、図６に示す第２の実施形態は、電源装置ユニット１０ｉの稼働台数制御と連動して、ＩＣＴ装置９ｊ内部電源バス９３ｊに接続された蓄電池１１２から、スリープモード時の電力を供給する構造となっている。負荷９２ｊの要求に合わせて、効率が最適となる電源装置ユニット１０ｉの台数を制御し、さらにコンセント１１１のＯＦＦを制御することで、負荷電源ユニット９１ｊも合わせて稼動停止する。よって、負荷電源ユニット９１ｊの消費電力も抑えながら、必要な少量の電力を蓄電池１１２から供給し、電源装置ユニット１０ｉを高効率かつ安定的に運転することが可能となる。
【００５５】
図７に本発明の第２の実施形態にかかる電源制御方法のフローチャートを示す。マザーボード９２１ｊは、ＩＣＴ装置９ｊへのアクセスを監視して、所定の時間内にＩＣＴ装置９ｊにアクセスがない場合、ＩＣＴ装置９ｊをスリープモードに突入させる（Ｓ２０１）。
【００５６】
ＩＣＴ装置９ｊがスリープモードに突入した場合、マザーボード９２１ｊは、ＩＣＴ装置９ｊのスリープモード突入情報を充放電制御装置１１３に送信する（Ｓ２０２）。
【００５７】
充放電制御装置１１３は、マザーボード９２１ｊからのＩＣＴ装置９ｊのスリープモード突入情報を受信する。充放電制御装置１１３は、スリープモード突入情報を受信すると、蓄電池１１２の残量を確認する。また、充放電制御装置１１３は、蓄電池１１２の残量を確認して一定の残量が存在すれば、蓄電池１１２に予め蓄えられた電力をＩＣＴ装置９ｊの負荷へ供給することを決定し、蓄電池１１２から内部電源バス９３ｊへの内部スイッチをＯＮする（Ｓ２０３）。
【００５８】
充放電制御装置１１３は、蓄電池１１２から電力をＩＣＴ装置９ｊの負荷９２ｊへ供給することを決定した場合、蓄電池１１２から電力をＩＣＴ装置９ｊの負荷９２ｊへ供給することを決定した情報を含む蓄電池電力供給決定情報を負荷状態制御装置１１４に送信する（Ｓ２０４）。
【００５９】
負荷状態制御装置１１４は、蓄電池電力供給決定情報に基づいて、負荷電源ユニット９１ｊの稼動を停止するため、コンセント１１１の第ｊのスイッチＳＷｊをＯＦＦするＯＦＦ制御信号を生成する（Ｓ２０５）。
【００６０】
負荷状態制御装置１１４は、生成したＯＦＦ制御信号をＯＮ・ＯＦＦ制御装置１１１１へ送信する（Ｓ２０６）。
【００６１】
ＯＮ・ＯＦＦ制御装置１１１１は、ＯＦＦ制御信号を受信し、負荷電源ユニット９１ｊへの電流を検出し、検出した電流が閾値を下回ったことを確認した場合、第ｊのスイッチＳＷｊをＯＦＦして負荷電源ユニット９１ｊの稼動を停止させる（Ｓ２０７）。負荷電源ユニット９１ｊの稼動が停止すると、負荷電源ユニット９１ｊからＩＣＴ装置９ｊへの給電は遮断される。
【００６２】
負荷状態制御装置１１４は、負荷の消費電力に基づいて電源制御装置１１５に負荷消費電力情報を送信する。また、電源制御装置１１５は、負荷消費電力情報、および検出した電源装置ユニット１０ｉからの出力電流に基づいて、電源装置ユニット１０ｉを稼動する台数を決定し、電源装置ユニット１０ｉをＯＮ・ＯＦＦ制御する（Ｓ２０８）。
【００６３】
ステップＳ２０１からステップＳ２０８により、負荷電源ユニット９１ｊへの給電が遮断され、ＩＣＴ装置９ｊがスリープモードに突入しても蓄電池１１２から待機電力が供給されるため、負荷電源ユニット９１ｊは、待機電力を供給しなくても良くなる。
【００６４】
加えて、負荷９２ｊの消費電力に基づいてＯＮ・ＯＦＦする電源装置ユニット１０ｉの台数を決定することが可能となり、電源装置ユニットの効率をも高めることが可能となる。
【００６５】
本実施形態によれば、ＩＣＴ装置の負荷の待機電力を蓄電池だけで供給するため、高効率に負荷電源ユニットを稼働することが可能となる。また本実施形態によれば、ＩＣＴ装置の負荷電源ユニットのスリープモード時の待機電力に基づくＩＣＴ装置の負荷電源ユニットの駆動損失を削減することが可能となる。さらに本実施形態によれば、電源装置ユニットをＯＮ・ＯＦＦ制御することで、ＩＣＴ装置の負荷電源ユニットの効率化だけでなく、電源装置ユニットの効率化をも図ることが可能となる。
【符号の説明】
【００６６】
１  電源システム
２１、２２、２ｎ、１０１、１０２、１０ｎ  電源装置ユニット
３、１１５  電源制御装置
４１、４２、４ｍ、９１１、９１２、９１ｍ、６１  負荷電源ユニット
６、９１、９２、９ｍ  ＩＣＴ装置
７、１１  電源制御システム
６２、９３１、９３２、９３ｍ  内部電源バス
６３、９２２１、９２２２、９２２ｍ  ネットワークボード
６４、９２１１、９２１２、９２１ｍ  マザーボード
７１、１１１  コンセント
７２、１１２  蓄電池
７３  充放電制御装置
７４、１１４  負荷状態制御装置
９２１、９２２、９２ｍ  負荷
１１３  蓄電池充放電制御装置
７１１、１１１１  ＯＮ・ＯＦＦ制御装置
１０００  外部電源
２０００  交流電源
ＳＷ１  第１のスイッチ
ＳＷ２  第２のスイッチ
ＳＷｍ  第ｍのスイッチ
【図１】
2015050913.tif 000003
【図２】
2015050913.tif 000004
【図３】
2015050913.tif 000005
【図４】
2015050913.tif 000006
【図５】
2015050913.tif 000007
【図６】
2015050913.tif 000008
【図７】
2015050913.tif 000009